(57)【特許請求の範囲】
【請求項１】
ガス器具の前面に設けられたコックボックス（２４）と、前記コックボックス（２４）に内蔵された支柱固定金具（４）と、前記支柱固定金具（４）に支柱（２）を介して回動可能に且つ水平に支持された操作レバー（１）と、前記操作レバー（１）の一端に形成されて前記コックボックス（２４）の外側に露出する操作部（３）と、前記操作レバー（１）の他端に形成される扇形ギア（２１）と、前記コックボックス（２４）内に収納されてガスコック（５）を駆動するガスコック主軸（６）と、前記ガスコック主軸（６）に固定されて前記扇形ギア（２１）と直接係合する回転ギア（２２）と、より構成された操作レバーによる点火装置。
【請求項２】
ガス器具の前面に設けられたコックボックス（２４）と前記コックボックス（２４）に内蔵された支柱固定金具（４）と、前記支柱固定金具（４）に支柱（２）を介して回動可能に且つ水平に支持された操作レバー（１）と、前記操作レバー（１）の一端に形成されて前記コックボックス（２４）の外側に露出する操作部（３）と、前記操作レバー（１）の他端に形成される楕円状の開孔と、前記コックボックス（２４）内に垂直に収納支持されたガスコック（５）を駆動するガスコック主軸（６）と、前記楕円状の開孔と直接係合する第２支柱（７）と、前記ガスコック主軸（６）に固定されて前記第２支柱（７）を有する第２レバー（８）と、より構成された操作レバーによる点火装置。
【発明の詳細な説明】
【技術分野】
【０００１】本発明は、ガス器具における操作レバー（１）により、ガスコック（５）の開閉を行うものである。
【背景技術】
【０００２】従来のガス器具における操作レバーによる点火装置は、（特開平０６−１０１８４２号公報参照）
【先行技術文献】
【特許文献】
【０００３】
【特許文献１】特開平０６−１０１８４２号公報
【発明の概要】
【発明が解決しようとする課題】
【０００４】従来の操作レバーによる点火装置にあっては、ワイヤー操作である為、ワイヤーの延びが、ある。【０００５】器具と操作レバーの距離が短いとワイヤーの曲がりが小径に成り、駆動しにくい。【０００６】その為に器具の反対側に取り付けをしていた。【０００７】後ろ側は狭い空間になり器具の調節をするにしろ前面（操作レバー部）と（ノズル側）を何度も往復する。【０００８】遠隔の為一人では修理が大変である。【０００９】長めのワイヤーを使用する為ワイヤーの遊びがあり器具の内部に納まらない。【００１０】商品と修理費が高価になる本発明は、以上のような欠点をなくすためになされたものである。
【課題を解決するための手段】
【００１１】ガス器具（１７）の操作レバー（１）でガスコック（５）を、直接開閉させる。ガス器具（１７）の前面に形成した操作レバー（１）に支柱用穴を形成、その端面に扇形ギア（２１）を水平に形成、前記支柱用穴には支柱固定金具（４）に垂直形成された支柱（２）で自在に駆動する、前記、水平に形成されたガスコック主軸（６）には、回転ギア（２２）を垂直に装着形成、前記回転ギア（２２）と前記扇型ギア（２１）は、連結する、操作レバー（１）が左の時点で回転ギア（２２）は閉０°になり、回転ギア（２２）が１５０°左に回転で点火されるガスコック（５）に装備されたスプリングで１５°戻り、１３５°で強火、８５°で中火、４５°で弱火に形成、前記ガスコック（５）の開閉をガス器具における操作レバー（１）による点火が簡単に行うものである。【００１２】ガス器具（１７）の前面に形成した操作レバー（１）に支柱用穴を形成、前記後方に楕円穴を形成、前記支柱用穴には支柱固定金具（４）に垂直形成された支柱（２）で自在に駆動する、前記楕円穴には、第２レバー（８）を、駆動させる第２支柱（７）を垂直に装着。前記、ガスコック固定板（９）に、垂直に形成されたガスコック主軸（６）には第２レバー（８）を装着形成、前記第２レバー（８）と第２支柱（７）は固定し、操作レバー（１）と第２レバー（８）は、梃子の原理で駆動する、前記、操作レバー（１）が左の時点でガスコック主軸（６）は閉０°に形成、ガスコック主軸（６）が１５０°左に回転で点火されるガスコック（５）に装備されたスプリングで１５°戻り、１３５°で強火、８５°で中火、４５°で弱火に形成、前記ガスコック（５）の開閉をガス器具における操作レバー（１）による点火が簡単に行うものである・
【発明の効果】
【００１３】本発明は、大型ガス器具のみならず小型ガス器具にも、使用可能にした。
既製のガスコックを使用する為。修理が簡単に出来る
高度な知識がなくても、従来道理に扱える
【図面の簡単な説明】
【００１４】
【図１】本発明ガス器具（１７）の操作レバー（１）とガスコック（５）設置状態を示す概略図である。
【図２】本発明に係るガス器具（１７）の操作レバー（１）とガスコック（５）設置状態を示す概略図である。
【図３】図１の要部拡大図である。
【図４】図２の要部拡大図である。
【図５】図２の要部平面拡大図でガスコックの主軸が閉を示す図である。
【図６】図２の要部平面拡大図でガスコックの主軸が弱火を示す図である。
【図７】図２の要部平面拡大図でガスコックの主軸が中火を示す図である。
【図８】図２の要部平面拡大図でガスコックの主軸が強火を示す図である。
【図９】図２の要部平面拡大図でガスコックの主軸が点火を示す図である。
【図１０】図１のガス器具の斜視図を示す図である。
【図１１】図１の要部斜視略拡大図でガスコックの主軸が閉を示す図である。
【図１２】図１の要部斜視略拡大図でガスコックの主軸が弱火を示す図である。
【図１３】図１の要部斜視略拡大図でガスコックの主軸が中火を示す図である。
【図１４】図１の要部斜視略拡大図でガスコックの主軸が強火を示す図である。
【図１５】図１の要部斜視略拡大図でガスコックの主軸が点火を示す図である。
【発明を実施するための形態】
【００１５】  以下、本発明を実施するための形態について説明する。
操作レバー（１）の先端には扇形ギア（２１）形成し、前記操作レバー（１）に支柱（２）を芯に駆動し水平に形成されたガスコック主軸（６）に垂直に形成された回転ギア（２２）を、駆動させ、ガスコック（５）の開閉を行う。
操作レバー（１）に支柱用の穴と第２支柱用の楕円穴を形成し、垂直に形成されたガスコック主軸（６）には第２レバー（８）を装着、前記第２レバー（８）に第２支柱（７）を固定、操作レバー（１）を支点にして第２支柱（７）を駆動させ第２レバー（８）によりガスコック主軸（６）を、駆動させ、ガスコック（５）の開閉を行う。
本発明は以上のような構造である。
本発明を使用するときは
【実施例】
【００１６】業務用外食産業で使用
【産業上の利用可能性】
【００１７】多機種のガス器具に使用可能である。
【符号の説明】
【００１８】１操作レバー
２支柱
３操作部
４支柱固定金具
５ガスコック
６ガスコック主軸
７第２支柱
８第２レバー
９ガスコック固定板
１０ガスコック固定ビス
１１ガードカバー
１２ガス導管
１３ノズル
１４レギュレター
１５バーナー
１６水槽
１７ガス器具
１８トップフード
１９トップリング
２０天板
２１扇形ギア
２２回転ギア
２３五徳
２４コックボックス
【図１】
0006768184.tif 000002
【図２】
0006768184.tif 000003
【図３】
0006768184.tif 000004
【図４】
0006768184.tif 000005
【図５】
0006768184.tif 000006
【図６】
0006768184.tif 000007
【図７】
0006768184.tif 000008
【図８】
0006768184.tif 000009
【図９】
0006768184.tif 000010
【図１０】
0006768184.tif 000011
【図１１】
0006768184.tif 000012
【図１２】
0006768184.tif 000013
【図１３】
0006768184.tif 000014
【図１４】
0006768184.tif 000015
【図１５】
0006768184.tif 000016